(57)【要約】      （修正有）【課題】使用者の使用状況に応じて、コンパクトな装置構成とする自動原稿搬送装置、画像読取装置および自動原稿搬送方法を提供する。【解決手段】読み取り対象であるシート原稿を載置する原稿載置部１０ａと、原稿載置部から所定の原稿読み取り位置までシート原稿を導く第１シート搬送路１７ａと、第１シート搬送路１７ａから分岐し、第１シート搬送路１７ａにおける所定の原稿読み取り位置の上流側に合流する第２シート搬送路１６ａを、装着情報取得部７９において、第２シート搬送路１６ａが着脱機構１９により第１シート搬送路１７ａに装着されたことを示す情報を取得した場合に、長さ情報取得部７０ａにて取得される情報に基づいて、原稿載置部１０ａから搬送されるシート原稿の搬送先を第１および第２シート搬送路の内のいずれかに振り分けるように振分け部４０を制御する制御部と、を備える自動原稿搬送装置。【選択図】図１
2013035687.tif 000002
【特許請求の範囲】
【請求項１】
読み取り対象であるシート原稿を載置する原稿載置部と、
前記原稿載置部から所定の原稿読み取り位置まで前記シート原稿を導く第１シート搬送路と、
前記第１シート搬送路から分岐し、前記第１シート搬送路における所定の原稿読み取り位置の上流側に合流する第２シート搬送路を、前記第１シート搬送路に対して着脱可能とする着脱機構と、
前記第２シート搬送路が前記着脱機構により前記第１シート搬送路に装着されたことを示す情報を取得する装着情報取得部と、
前記原稿載置部に載置されるシート原稿のシート搬送方向における長さを示す情報を取得する長さ情報取得部と、
前記第２シート搬送路が前記着脱機構により前記第１シート搬送路に装着された状態において、前記原稿載置部から搬送されるシート原稿を前記第１および第２シート搬送路の内のいずれかに振り分ける振分け部と、
前記装着情報取得部において、前記第２シート搬送路が前記着脱機構により前記第１シート搬送路に装着されたことを示す情報を取得した場合に、前記長さ情報取得部にて取得される情報に基づいて、前記原稿載置部から搬送されるシート原稿の搬送先を前記第１および第２シート搬送路の内のいずれかに振り分けるように前記振分け部を制御する制御部と、
を備える自動原稿搬送装置。
【請求項２】
前記第２シート搬送路が、前記着脱機構により前記第１シート搬送路に装着されている請求項１に記載の自動原稿搬送装置。
【請求項３】
前記第１シート搬送路は、所定サイズのシート原稿における長手方向の長さよりも短い搬送経路であり、
前記第２シート搬送路は、前記所定サイズのシート原稿における長手方向の長さよりも長い搬送経路であり、
前記制御部は、前記装着情報取得部が、前記第２シート搬送路が前記着脱機構により前記第１シート搬送路に装着されたことを示す情報を取得し、かつ前記長さ情報取得部にて取得される情報が前記所定サイズ以下である場合に、前記原稿載置部に載置された原稿を前記第１シート搬送路または前記第２シート搬送路に交互に振分けるように前記振分け部を制御する請求項２に記載の自動原稿搬送装置。
【請求項４】
前記所定サイズは、ショートサイズであることを特徴とする請求項２または３に記載の自動原稿搬送装置。
【請求項５】
前記長さ情報取得部で取得した情報に基づいて、前記第１シート搬送路および前記第２シート搬送路を搬送される原稿を読取る画像読取部と、
前記画像読取部を通過した前記原稿を排紙する排紙部を有し、前記請求項１乃至請求項４のいずれか１項に記載の自動原稿搬送装置と、
を備えることを特徴とする画像読取装置。
【請求項６】
読み取り対象であるシート原稿を載置する原稿載置部と、
前記原稿載置部から所定の原稿読み取り位置まで前記シート原稿を導く第１シート搬送路と、
前記第１シート搬送路から分岐し、前記第１シート搬送路における所定の原稿読み取り位置の上流側に合流する第２シート搬送路を、前記第１シート搬送路に対して着脱可能とする着脱機構と、
前記着脱機構により、前記第１シート搬送路に装着された第２シート搬送路と、
前記第２シート搬送路が前記着脱機構により前記第１シート搬送路に装着された状態において、前記原稿載置部から搬送されるシート原稿を前記第１および第２シート搬送路の内のいずれかに振り分ける振分け部と、
を有する自動原稿搬送装置に用いられる自動原稿搬送方法であって、
前記第２シート搬送路が前記着脱機構により前記第１シート搬送路に装着されたことを示す情報を取得し、
前記原稿載置部に載置されるシート原稿のシート搬送方向における長さを示す情報を取得し、
前記第２シート搬送路が前記着脱機構により前記第１シート搬送路に装着されたことを示す情報を取得した場合に、前記取得されたシート原稿のシート搬送方向における長さを示す情報に基づいて、前記原稿載置部から搬送されるシート原稿の搬送先を前記第１および第２シート搬送路の内のいずれかに振り分ける
自動原稿搬送方法。
【請求項７】
請求項６の自動原稿搬送方法であって、
前記第２シート搬送路が前記着脱機構により前記第１シート搬送路に装着されたことを示す情報を取得し、かつ前記長さ情報取得部にて取得される情報が前記所定サイズ以下である場合に、前記原稿載置部に載置された原稿を前記第１シート搬送路または前記第２シート搬送路に交互に振分ける
自動原稿搬送方法。
【請求項８】
前記所定サイズは、ショートサイズであることを特徴とする請求項６または７に記載の自動原稿搬送装置。
【発明の詳細な説明】
【技術分野】
【０００１】
この発明は、使用者の使用状況に応じて、コンパクトな装置構成とする自動原稿搬送装置、画像読取装置および自動原稿搬送方法に関する。
【背景技術】
【０００２】
複写機やプリンタ等の画像形成装置に用いる、スキャナ等の画像読取装置では、画像読取速度の高速化が要求されている。例えば、特許文献１には、原稿載置部から画像読取部に達する第１搬送経路および第２搬送経路と、原稿載置部に載置された原稿を第１搬送経路および第２搬送経路に振り分けるゲート部とを有する自動原稿搬送装置を備えた画像読取装置が開示されている。この画像形成装置は、原稿を第１搬送経路と第２搬送経路に交互にゲート部で振り分けることで、先行する原稿の後端と後続の原稿の先端の間隔をほぼ０ｍｍにして連続搬送し、画像読取速度を速くする。
【先行技術文献】
【特許文献】
【０００３】
【特許文献１】特開２０１０−１３６３５９号公報
【発明の概要】
【発明が解決しようとする課題】
【０００４】
しかし、特許文献１に開示された画像読取装置は、第２搬送経路が第１搬送経路の上部に一体的に固定されている構成のため、第１搬送経路のみで十分な使用者にとっては、不必要に装置構成が大きくなり、設置スペースを無駄に必要とする問題があった。
【課題を解決するための手段】
【０００５】
上述した課題を解決するため、本実施形態の自動原稿搬送装置は、読み取り対象であるシート原稿を載置する原稿載置部と、前記原稿載置部から所定の原稿読み取り位置まで前記シート原稿を導く第１シート搬送路と、前記第１シート搬送路から分岐し、前記第１シート搬送路における所定の原稿読み取り位置の上流側に合流する第２シート搬送路を、前記第１シート搬送路に対して着脱可能とする着脱機構と、前記第２シート搬送路が前記着脱機構により前記第１シート搬送路に装着されたことを示す情報を取得する装着情報取得部と、前記原稿載置部に載置されるシート原稿のシート搬送方向における長さを示す情報を取得する長さ情報取得部と、前記第２シート搬送路が前記着脱機構により前記第１シート搬送路に装着された状態において、前記原稿載置部から搬送されるシート原稿を前記第１および第２シート搬送路の内のいずれかに振り分ける振分け部と、前記装着情報取得部において、前記第２シート搬送路が前記着脱機構により前記第１シート搬送路に装着されたことを示す情報を取得した場合に、前記長さ情報取得部にて取得される情報に基づいて、前記原稿載置部から搬送されるシート原稿の搬送先を前記第１および第２シート搬送路の内のいずれかに振り分けるように前記振分け部を制御する制御部と、を備えることを特徴とする。
【０００６】
（２）上記（１）の構成において、前記第２シート搬送路が、前記着脱機構により前記第１シート搬送路に装着されていることを特徴とする。
【０００７】
（３）上記（２）の構成において、前記第１シート搬送路は、所定サイズのシート原稿における長手方向の長さよりも短い搬送経路であり、前記第２シート搬送路は、前記所定サイズのシート原稿における長手方向の長さよりも長い搬送経路であり、前記制御部は、前記装着情報取得部が、前記第２シート搬送路が前記着脱機構により前記第１シート搬送路に装着されたことを示す情報を取得し、かつ前記長さ情報取得部にて取得される情報が前記所定サイズ以下である場合に、前記原稿載置部に載置された原稿を前記第１シート搬送路または前記第２シート搬送路に交互に振分けるように前記振分け部を制御することを特徴とする。
【０００８】
（４）上記（２）または（３）の構成において、前記所定サイズは、ショートサイズであることを特徴とする。
【０００９】
（５）上述した課題を解決するため、本実施形態の画像読取装置は、前記長さ情報取得部で取得した情報に基づいて、前記第１シート搬送路および前記第２シート搬送路を搬送される原稿を読取る画像読取部と、前記画像読取部を通過した前記原稿を排紙する排紙部を有し、前記（１）乃至（４）のいずれか１項に記載の自動原稿搬送装置と、を備えることを特徴とする。
【００１０】
（６）上述した課題を解決するため、本実施形態の自動原稿搬送方法は、読み取り対象であるシート原稿を載置する原稿載置部と、前記原稿載置部から所定の原稿読み取り位置まで前記シート原稿を導く第１シート搬送路と、前記第１シート搬送路から分岐し、前記第１シート搬送路における所定の原稿読み取り位置の上流側に合流する第２シート搬送路を、前記第１シート搬送路に対して着脱可能とする着脱機構と、前記着脱機構により、前記第１シート搬送路に装着された第２シート搬送路と、前記第２シート搬送路が前記着脱機構により前記第１シート搬送路に装着された状態において、前記原稿載置部から搬送されるシート原稿を前記第１および第２シート搬送路の内のいずれかに振り分ける振分け部と、を有する自動原稿搬送装置に用いられる自動原稿搬送方法であって、前記第２シート搬送路が前記着脱機構により前記第１シート搬送路に装着されたことを示す情報を取得し、前記原稿載置部に載置されるシート原稿のシート搬送方向における長さを示す情報を取得し、前記第２シート搬送路が前記着脱機構により前記第１シート搬送路に装着されたことを示す情報を取得した場合に、前記取得されたシート原稿のシート搬送方向における長さを示す情報に基づいて、前記原稿載置部から搬送されるシート原稿の搬送先を前記第１および第２シート搬送路の内のいずれかに振り分けることを特徴とする。
【００１１】
（７）上記（６）の搬送方法において、前記第２シート搬送路が前記着脱機構により前記第１シート搬送路に装着されたことを示す情報を取得し、かつ前記長さ情報取得部にて取得される情報が前記所定サイズ以下である場合に、前記原稿載置部に載置された原稿を前記第１シート搬送路または前記第２シート搬送路に交互に振分けることを特徴とする。
【００１２】
（８）上記（６）または（７）の搬送方法において、前記所定サイズは、ショートサイズであることを特徴とする。
【図面の簡単な説明】
【００１３】
【図１】第１実施形態の画像読取装置（ＯＵＴパス部がＩＮパス部に装着された状態）の概略図である。
【図２】図１における第１シート搬送路及び第２シート搬送路の拡大図である。
【図３】図１における読取前ローラの概略図である。
【図４】第１実施形態の画像読取装置（ＯＵＴパス部をＩＮパス部から脱離した状態）の概略図である。
【図５】第１実施形態のＡＤＦの制御系を示すブロック図である。
【図６】第１実施形態における電源オンから原稿の給紙開始までを示すフローチャートである。
【図７】第１実施形態の第１の搬送モードにおける原稿を給紙して第２シート搬送路に搬送するまでを示すフローチャートである。
【図８】第１実施形態における第２シート搬送路内への原稿の搬送を示すフローチャートである。
【図９】第１実施形態における画像の読取開始から、中間ＩＮ／ＯＵＴモータの停止までを示すフローチャートである。
【図１０】第１実施形態における中間ＩＮ／ＯＵＴモータの停止から、読取前ローラ停止までを示すフローチャートである。
【図１１】第１実施形態における第１シート搬送路内への原稿の搬送を示すフローチャートである。
【図１２】第１実施形態における搬送の完了を示すフローチャートである。
【図１３】第１実施形態の第２の搬送モードにおける原稿を給紙して第２シート搬送路に搬送するまでを示すフローチャートである。
【図１４】第１実施形態における１枚目の原稿の給紙開始時を示す説明図である。
【図１５】第１実施形態における１枚目の原稿の第２シート搬送路への搬送時を示す説明図である。
【図１６】第１実施形態における１枚目の原稿の第２シート搬送路での待機を示す説明図である。
【図１７】第１実施形態における２枚目の原稿の給紙開始時を示す説明図である。
【図１８】第１実施形態における２枚目の原稿の第１シート搬送路への搬送を示す説明図である。
【図１９】第１実施形態における１枚目と２枚目の原稿の搬送の合流時を示す説明図である。
【図２０】第１実施形態における１枚目と２枚目の原稿の分離を示す説明図である。
【図２１】第１実施形態における読取前ローラによる２枚目の原稿の搬送を示す説明図である。
【図２２】第１実施形態における３枚目の原稿の給紙開始時を示す説明図である。
【図２３】第１実施形態における３枚目の原稿のＯＵＴパス部への搬送を示す説明図である。
【図２４】第１実施形態における２枚目と３枚目の原稿の搬送の合流時を示す説明図である。
【発明を実施するための形態】
【００１４】
（第１実施形態）
以下、本実施形態の画像読取装置１００の第１実施形態について説明する。ここで、図１は第１実施形態の画像読取装置１００（ＯＵＴパス部１６がＩＮパス部１７に装着された状態）を示す概略図であり、図２は図１における第１シート搬送路１７a及び第２シート搬送路１６aの拡大図であり、図３は図１における読取前ローラ５０の概略図であり、図４は第１実施形態の画像読取装置１００（ＯＵＴパス部１６をＩＮパス部１７から脱離した状態）の概略図である。
【００１５】
画像読取装置１００は、図１に示すように、スキャナ（画像読取部）１１０、およびスキャナ１１０に原稿Ｇを搬送する自動原稿搬送装置（ＡＤＦ）１０を有する。
【００１６】
スキャナ１１０は、ＲＥＡＤ原稿ガラス１１０ａとプラテンガラス１１０ｂを備える。スキャナ１１０の光学機構１１０ｃは、ＲＥＡＤ原稿ガラス１１０ａ上を走行する原稿（シート原稿）Ｇの画像を光学的に読み取る。光学機構１１０ｃは、プラテンガラス１１０ｂに沿って、図示しない駆動手段により矢印Ａ方向（図１参照）に移動して、プラテンガラス１１０ｂ上に載置される原稿Ｇの画像を所定の原稿読み取り位置で光学的に読み取る。スキャナ１１０は、光学機構１１０ｃからの光信号を電気信号に光電変換するＣＣＤ（Charge Coupled Device）１１０ｄを有する。
【００１７】
ＡＤＦ１０は、原稿載置部１１a、ＩＮパス部１７、ＯＵＴパス部１６、着脱機構１９、フラッパ（振分け部）４０、排紙部５１aおよび制御部１２０を有する。
【００１８】
原稿載置部１１aは、原稿トレイ１１、ピックアップローラ１２、分離給紙ローラ１３、給紙モータ８０、ピックアップソレノイド８１、レジストローラ(ＲＧＴローラ)１４、レジストモータ（ＲＧＴモータ）８２、レジストセンサ(ＲＧＴセンサ)７１および超音波センサ７４を有する。原稿トレイ１１は、読み取り対象である原稿（シート原稿）を載置するものであり、原稿Ｇの有無を検知するエンプティセンサ７０および載置された原稿Ｇの搬送方向の長さが所定サイズ以上かを検出する長さ検出センサ７０a（長さ情報取得部）を有する。また、ここでの原稿の所定の長さ（所定サイズのシート原稿）とは、例えば、Ａ４またはレターサイズのようなショートサイズを意味する。この長さ検出センサ７０aは、図１のようにアクチュエータ部の動作に基づいて、原稿のシート搬送方向における長さを示す情報を取得しても良いし、発光部と受光部を有する反射型の光学センサにより原稿のシート搬送方向における長さを示す情報を取得しても良い。ピックアップローラ１２は、原稿トレイ１１に載置された原稿Ｇを取り出す。分離給紙ローラ１３は、ピックアップローラ１２により取り出された原稿Ｇを１枚ずつ分離して給紙する。給紙モータ８０は、ピックアップローラ１２及び分離給紙ローラ１３を駆動する。ピックアップソレノイド８１は、ピックアップローラ１２を揺動する。レジストローラ(ＲＧＴローラ)１４は、分離給紙ローラ１３により給紙される原稿Ｇの先端を揃える。レジストモータ（ＲＧＴモータ）８２は、ＲＧＴローラ１４を駆動する。レジストセンサ(ＲＧＴセンサ)７１は、分離給紙ローラ１３からＲＧＴローラ１４の間に位置し、ＲＧＴローラ１４への原稿Ｇの到達を検知する。そして、超音波センサ７４は、ＲＧＴセンサ７１に隣接して位置し、原稿Ｇの厚さを検知する。
【００１９】
ＩＮパス部１７は、第１シート搬送路１７a、中間ＩＮローラ２８、中間ＩＮモータ８６、タイミングセンサＩＮ７３、読取前ローラ５０および装着センサ（装着情報取得部）７９を有する。第１シート搬送路１７aは、図１に示すように、ＲＧＴローラ１４からスキャナ１１０に達する搬送経路であり、原稿の所定の長さ（所定サイズのシート原稿における長手方向の長さ）よりも短い搬送経路である。中間ＩＮローラ２８は、第１シート搬送路１７a内に原稿Ｇを搬送する。中間ＩＮモータ８６は、中間ＩＮローラ２８を駆動する。タイミングセンサＩＮ７３は、第１シート搬送路１７a内を通過する原稿を検知する。読取前ローラ５０は、図１に示すように、相互に従動回転する第１のローラ５０aおよび第２のローラ５０ｂと、第１のローラ５０aおよび第２のローラ５０ｂの駆動を切り替えるチェンジ機構５０ｃからなる。装着センサ７９は、後述のＯＵＴパス部１６が後述の着脱機構１９を介してＩＮパス部１７に装着されていることを示す情報を取得する。
【００２０】
ＯＵＴパス部１６（第２シート搬送路１６aを含むもの）は、図１および図４に示すように、後述の着脱機構１９によりＩＮパス部１７（第１シート搬送路１７aを含むもの）に対して着脱自在に装着される。なお、ＯＵＴパス部１６をＩＮパス部１７から脱離した際には、図４に示すようにＯＵＴパス部１６の代わりに外装部材１４０を取付けても良い。
【００２１】
ＯＵＴパス部１６（図１における点線で覆った領域）は、第２シート搬送路１６a、中間ＯＵＴローラ１８、中間ＯＵＴモータ８４およびタイミングセンサＯＵＴ７２を有する。第２シート搬送路１６aは、図１に示すように、第１シート搬送路１７aから分岐し、第１シート搬送路１７aにおける所定の原稿読み取り位置の上流側で合流する搬送経路である。この第２シート搬送路１６aは、所定の原稿の長さ（所定サイズのシート原稿における長手方向の長さ）よりも長い搬送経路である。中間ＯＵＴローラ１８は、第２シート搬送路１６a内において原稿Ｇを搬送する。中間ＯＵＴモータ８４は、中間ＯＵＴローラ１８を駆動する。タイミングセンサＯＵＴ７２は、第２シート搬送路１６a内を通過する原稿Ｇを検知する。
【００２２】
着脱機構１９は、凸部被係合部材１９a、凹部係合部材１９ｂおよび可動部（不図示）を有する。凸部被係合部材１９aは、ＯＵＴパス部１６側の下面に設けられた凸部（不図示）と、凸部の外周面に形成された凸部側溝（不図示）からなる。凹部係合部材１９ｂは、ＩＮパス部１７側の上面における凸部係合部材に対応する位置に形成された凹部（不図示）と、凹部の内周面に設けられた凹部側係合ツメ（不図示）からなる。可動部は、ＯＵＴパス部１６に設けられたものであり、凹部側係合ツメを凸部側溝に係合するように付勢する係合ツメ付勢部材（不図示）と、係合ツメを凸部側溝から退避させる係合ツメ退避レバ（不図示）からなる。ＯＵＴパス部１６にＩＮパス部１７が装着される場合には、使用者がＯＵＴパス部１６をＩＮパス部１７に押し付けることにより、凹部側係合ツメが係合ツメ付勢部材により凸部側溝に係合して、ＯＵＴパス部１６をＩＮパス部１７に一体的に固定する。また、ＯＵＴパス部１６をＩＮパス部１７から脱離する場合には、使用者が係合ツメ退避レバを操作することで、凹部側係合ツメを凸部側溝から退避させ、ＯＵＴパス部１６をＩＮパス部１７から脱離させる。
【００２３】
この構成により、本実施形態の画像読取装置１００は、使用者による簡単な作業により、ＯＵＴパス部１６をＩＮパス部１７に装着または脱離させることができる。
【００２４】
なお、外装部材１４０をＩＮパス部１７に取付ける場合には、図４に示すように、外装部材１４０の下面に設けられた凸部係合部材１９aを、ＩＮパス部１７に設けられた凹部係合部材１９ｂに係合する。外装部材１４０に設けられた凸部係合部材１９aの詳細な構成は、ＯＵＴパス部１６に設けられた凸部係合部材１９aと同じであるため、説明は省略する。
【００２５】
フラッパ４０は、図１に示すように、ＩＮパス部１７におけるＲＧＴローラ１４の下流側かつ第２シート搬送路１６aの上流側に位置し、ＲＧＴローラ１４を通過した原稿Ｇを、ＯＵＴパス部１６およびＩＮパス部１７のいずれかに振り分ける。フラッパ４０は、フラッパソレノイド８３により切り替えられる。具体的には、ＣＰＵ１３０がフラッパソレノイド８３をオフすると、フラッパ４０は、矢印ｘ方向に回動して、原稿Ｇを第２シート搬送路１６a側に振り分ける。ＣＰＵ１３０がフラッパソレノイド８３をオンすると、フラッパ４０は、矢印ｙ方向に回動して、原稿Ｇを第１シート搬送路１７a側に振り分ける。
【００２６】
排紙部５１aは、図１に示すように、読取前ローラ５０、読取後ローラ５１、排紙前ローラ５２、排紙ローラ５３、排紙トレイ５６、読取前ローラモータ８９、ＲＥＡＤモータ８７、排紙モータ８８、読取前センサ７６、読取後センサ７７、排紙センサ７８およびコンタクトイメージセンサ（ＣＩＳ）６０（画像読取部）を有する。読取後ローラ５１は、ＲＥＡＤ原稿ガラス１１０ａから原稿Ｇを排出する。読取前ローラモータ８９は、読取前ローラ５０を駆動する。ＲＥＡＤモータ８７は、読取後ローラ５１および排紙前ローラ５２を駆動する。排紙モータ８８は、排紙ローラ５３を駆動する。読取後センサ７７は、読取後ローラ５１から排紙前ローラ５２に達する搬送経路に設けられ、排紙センサ７８は排紙前ローラ５２から排紙ローラ５３に達する搬送経路に設けられる。そして、ＣＩＳ６０は、読取後ローラ５１から排紙前ローラ５２に至る搬送経路内に位置し、原稿Ｇの画像を読み取る。
【００２７】
この構成により、ＲＥＡＤ原稿ガラス１１０ａ上を走行する原稿Ｇの第１面である表面の画像をスキャナ１１０で読み取り、走行する原稿Ｇの第２面である裏面の画像をＣＩＳ６０で読み取る。これにより、原稿Ｇが、原稿トレイ１１からＲＥＡＤ原稿ガラス１１０ａを経て排紙トレイ５６に至る搬送路を１回通過するのみで、両面の画像の読み取りが可能になる。
【００２８】
図５は、ＡＤＦ１０を主体にした制御部１２０のブロック図である。制御部１２０は、本体制御部１２１とＣＰＵ１３０からなる。本体制御部１２１は、スキャナ１１０のＣＣＤ１１０ｄおよびＣＩＳ６０を接続しており、画像読取装置１００を含む例えば画像形成装置の全体を制御する。本体制御部１２１は、入出力インタフェース１２２を介してＡＤＦ１０のＣＰＵ１３０を制御する。
【００２９】
ＣＰＵ１３０の入力側には、長さ検出センサ７０a、エンプティセンサ７０、ＲＧＴセンサ７１、タイミングセンサＯＵＴ７２、タイミングセンサＩＮ７３、読取前センサ７６、読取後センサ７７排紙センサ７８および装着センサ７９が接続される。ＣＰＵ１３０の出力側には、ピックアップソレノイド８１、給紙モータ８０、ＲＧＴモータ８２、フラッパソレノイド８３、中間ＯＵＴモータ８４、中間ＩＮモータ８６、ＲＥＡＤモータ８７、排紙モータ８８、読取前ローラモータ８９およびチェンジ機構５０ｃが接続されている。
【００３０】
次に、第１実施形態の画像読取装置１００における読取処理について説明する。図６乃至図１３は、第１実施形態の画像読取装置１００におけるフローチャートを示し、図６は電源オンから原稿の給紙開始までの制御を示し、図７は第１の搬送モードにおける原稿を給紙して第２シート搬送路１６aに搬送するまでの制御を示し、図８は第２シート搬送路１６a内への原稿の搬送制御を示し、図９は画像の読取開始から中間ＩＮ／ＯＵＴモータの停止までの制御を示し、図１０は中間ＩＮ／ＯＵＴモータの停止から読取前ローラ５０停止までの制御を示し、図１１は第１シート搬送路１７a内への原稿の搬送制御を示し、図１２は搬送の完了制御を示し、図１３は第２の搬送モードにおける原稿を給紙して第２シート搬送路に搬送するまでを示すものである。
【００３１】
まず、第１実施形態の画像読取装置１００において、ＯＵＴパス部１６が着脱機構１９を介してＩＮパス部１７に固定されており、画像読取装置１００内に搬送される原稿が所定サイズ以下の場合について説明する。
【００３２】
図６を用いて、第１実施形態の画像読取装置１００における電源オンから原稿の給紙開始までの制御を説明する。使用者が、画像読取装置１００の電源をオンすると、ＣＰＵ１３０が、プラテンガラス１１０ｂ上で閉じていることを確認し（ＡＣＴ２００）、全センサを検知して、ＡＤＦ１０に紙詰まりが無いことを確認する（ＡＣＴ２０１ＹＥＳ）。原稿Ｇが原稿トレイ１１に載置されるとエンプティセンサ７０がオンし、ＣＰＵ１３０が本体制御部１２１に原稿オン信号を送信する（ＡＣＴ２０２ＹＥＳ）。本体制御部１２１からの給紙要求信号を、ＣＰＵ１３０が受信すると、ＣＰＵ１３０が両面読取モードを設定されいているか否かを判定し（ＡＣＴ２０３）、両面読取モードが設定されていると判定した場合には、ＣＰＵ１３０は、ＣＩＳ６０をオンして原稿読取可能状態に設定する（ＡＣＴ２０４）。この両面読取モードの設定の有無は、使用者が入出力インタフェースに両面読取モードの設定操作を行ったか否かにより判定する。
【００３３】
ＣＰＵ１３０は、ＯＵＴパス部１６がＩＮパス部１７に装着されているため、装着センサ７９がオン（第２シート搬送路１６aが着脱機構１９により第１シート搬送路１７aに装着されたことを示す情報）を取得する（ＡＣＴ２０５ＡＹＥＳ）。そして、ＣＰＵ１３０は、長さ検出センサ７０aがＯＦＦであるため、原稿トレイ１１に載置された原稿のシート搬送方向における長さが所定サイズ以下とすることを示す情報を取得して（ＡＣＴ２０５ＢＹＥＳ）、第１の搬送モードを実行するＡＣＴ２０６へ進む。この第１の搬送モードは、第１シート搬送路１７aと第２シート搬送路１６aに交互に振り分けて搬送する処理モードである。
【００３４】
次に、第１実施形態の画像読取装置１００における原稿の給紙開始から排紙トレイ５６内への排出動作について説明する。図７を参照して、ＣＰＵ１３０は、ピックアップソレノイド８１および給紙モータ８０をオンし、ピックアップローラ１２及び分離給紙ローラ１３を回転させて、１枚目の原稿Ｇ１の給紙動作を開始する（ＡＣＴ２０６）。ＲＧＴセンサ７１が原稿Ｇ１を検出すると、ＣＰＵ１３０は、原稿Ｇ１を一定時間搬送した後、給紙モータ８０をオフし、フラッパソレノイド８３もオフする（ＡＣＴ２０７ＹＥＳ、ＡＣＴ２０８）。図１４のように１枚目の原稿Ｇ１は、ＲＧＴローラ１４に当たり、先端位置を整位されて停止する。フラッパ４０は、１枚目の原稿Ｇ１を第２シート搬送路１６aに振り分ける方向に設定される。
【００３５】
ＲＧＴセンサ７１により原稿Ｇ1が検出されてから一定時間を経過した後（ＡＣＴ２０８）、原稿Ｇ１が奇数枚目なので（ＡＣＴ２１２Ｙｅｓ）、ＣＰＵ１３０は、ＲＧＴモータ８２と中間ＯＵＴモータ８４をオンして、ＲＧＴローラ１４および中間ＯＵＴローラ１８を回転させる（ＡＣＴ２１４）。これにより、図１５のように１枚目の原稿Ｇ１は、フラッパ４０に振り分けられて、第２シート搬送部１６aへ搬送する。
【００３６】
図８を参照して、原稿Ｇ１によりタイミングセンサＯＵＴ７２がオンすると（ＡＣＴ２１５Ｙｅｓ）、ＣＰＵ１３０は、ＲＧＴモータ８２と中間ＯＵＴモータ８４を、一定パルス数駆動して停止させる（ＡＣＴ２１６）。図１６に示すように、１枚目の原稿Ｇ１は、読取前ローラ５０の手前で停止する。
【００３７】
ＣＰＵ１３０が、本体制御部１２１から搬送要求信号を受信すると（ＡＣＴ２１８Ｙｅｓ）、ＣＰＵ１３０は、中間ＯＵＴモータ８４を駆動して中間ＯＵＴローラ１８を回動させ、読取前ローラモータ８９を駆動してチェンジ機構５０Ｃを介して読取前ローラ５０を回動させる。これにより、第２シート搬送路１６a内に搬送された原稿Ｇ１をスキャナ１１０へ搬送する（ＡＣＴ２１９ＹＥＳ、ＡＣＴ２２１）。
【００３８】
読取前センサ７６が１枚目の原稿Ｇ１の先端を検知してＯＮすると（ＡＣＴ２２３Ｙｅｓ）、ＣＰＵ１３０は、ＲＥＡＤモータ８７を駆動して、読取後ローラ５１および排出前ローラ５２を回動させて、ＡＣＴ２３０へ進む。
【００３９】
図９を参照して、ＣＰＵ１３０が１枚目の原稿Ｇ１を一定距離搬送したと判定すると（ＡＣＴ２３０ＹＥＳ）、ＣＰＵ１３０は読取開始信号を本体制御部１２１に送信する。本体制御部１２１により、スキャナ１１０は原稿Ｇ１の表面の画像読取を開始する（ＡＣＴ２３１）。
【００４０】
１枚目の原稿Ｇ１は、スキャナ１１０による画像読取を行いながら、読取後ローラ５１及び排紙前ローラ５２を経て排紙ローラ５３方向に搬送される。
【００４１】
１枚目の原稿Ｇ１により読取後センサ７７がオンされると（ＡＣＴ２３２ＹＥＳ）、ＣＰＵ１３０は、排紙モータ８８を駆動して、排紙ローラ５３を回転させて、両面読取設定が行われているか否かを判定する（ＡＣＴ２３３ＹＥＳ、ＡＣＴ２３４、ＡＣＴ２３６）。ＣＰＵ１３０が両面読取モードを設定していると判定した場合（ＡＣＴ２３６Ｙｅｓ）、ＣＰＵ１３０は両面読取モードに関する情報を本体制御部１２１に送信して、排紙方向に搬送される１枚目の原稿Ｇ１の裏面の画像をＣＩＳ６０により読取る（ＡＣＴ２３７）。１枚目の原稿Ｇ１が、読取後センサ７７をＯＮしてから一定時間経過して（ＡＣＴ２３８Ｙｅｓ）、排紙センサ７８をオン（ＡＣＴ２３９Ｙｅｓ）した後、排紙トレイ５６内に１枚目の原稿Ｇ１が排出され、ＣＰＵ１３０は、中間ＯＵＴモータ８４を停止させる（ＡＣＴ２４０ａ）。
【００４２】
次に、２枚目の原稿Ｇ２の搬送について説明する。図７を参照して、ＲＧＴセンサ７１により原稿Ｇ1が検出された後（ＡＣＴ２０７ＹＥＳ）、１枚目の原稿Ｇ１の搬送プロセスとは別に、割り込み処理として、２枚目の原稿Ｇ２の給紙プロセスが並行してスタートする。２枚目の原稿Ｇ２は、１枚目の原稿Ｇ１の後端がＲＧＴセンサ７１を抜けるまで、給紙プロセスを待機する（ＡＣＴ３００ＮＯ、ＡＣＴ３０１ＮＯ）。ＲＧＴセンサ７１が、オンからオフに変化すると（ＡＣＴ３００Ｙｅｓ）、ＣＰＵ１３０は、原稿Ｇが奇数枚目か否かの判定を行う（ＡＣＴ３０２）。ＣＰＵ１３０は、２枚目の原稿Ｇ２は偶数枚目であるため（ＡＣＴ３０２ＮＯ）、第２シート搬送路１６aを通過するための調整時間Ｔ２を経過を待って（ＡＣＴ３０４でＹｅｓ）、ＡＣＴ２０６に進む。
【００４３】
ＣＰＵ１３０は、ピックアップローラ１２および分離給紙ローラ１３を駆動して、２枚目の原稿Ｇ２を第１シート搬送路１７a内へ給紙する（ＡＣＴ２０６）。図１７に示すように、第１シート搬送路１７a内へ給紙された２枚目の原稿Ｇ２は、ＲＧＴローラ１４に当接して、先端位置を整位されて停止する。(２枚目の原稿Ｇ２は、原稿トレイ１１から取り出された後、ＲＧＴセンサ７１をオンし（ＡＣＴ２０７）、ＡＣＴ２０８、ＡＣＴ２１１を経て、ＡＣＴ２１２に達する。)
【００４４】
図１１を参照して、２枚目の原稿Ｇ２は偶数枚目なので（ＡＣＴ２１２Ｎｏ）、ＣＰＵ１３０は、図１８に示すように、フラッパソレノイド８３をオンして、フラッパ４０を矢印ｙ方向に回転して、フラッパ４０を２枚目の原稿Ｇ２を第１シート搬送路１７aに振り分ける方向に切り替える。（ＡＣＴ２５０）。ＣＰＵ１３０は、ＲＧＴモータ８２および中間ＩＮモータ８６をオンして、ＲＧＴローラ１４と中間ＩＮローラ２８を回転させる。これにより、２枚目の原稿Ｇ２をフラッパ４０により第１シート搬送路１７a内に振り分けて搬送する。
【００４５】
２枚目の原稿Ｇ２（偶数枚目の原稿Ｇ）によりタイミングセンサＩＮ７３がオンすると（ＡＣＴ２５２）、ＣＰＵ１３０は、ＲＧＴモータ８２および中間ＩＮモータ８６を、一定パルス数駆動して停止する（ＡＣＴ２５３）。２枚目の原稿Ｇ２は、読取前ローラ５０の手前で停止する。そして、本体制御部１２１から２枚目の原稿Ｇ２の搬送要求信号をＣＰＵ１３０が受信すると（ＡＣＴ２５５Ｙｅｓ）、ＣＰＵ１３０は、先行する原稿Ｇ１の先端が、読取前センサ７６をオンしてから所定時間が経過するか否かを判定する（ＡＣＴ２５６）。
【００４６】
ＣＰＵ１３０は、先行する原稿Ｇ１の先端が、読取前センサ７６をオンしてから所定時間を経過したと判定すると、図１９および図２０に示すように中間ＩＮモータ８６を駆動して中間ＩＮローラ２８を回動させ、チェンジ機構５０Ｃを介して、読取前ローラ５０を回動させて、２枚目の原稿Ｇ２を搬送する（ＡＣＴ２５７）。
【００４７】
図２１に示すように、読取前センサ７６が、先行する原稿Ｇ１（１枚目の原稿）の後端を検知（センサ７６がＯＦＦ）し、２枚目の原稿Ｇ２の先端が読取前センサ７６を検知（ＯＮ）すると（ＡＣＴ２５８Ｙｅｓ）、ＡＣＴ２６０へ進む。ＡＣＴ２６０で、ＲＥＡＤモータ８７を継続して駆動し、ＡＣＴ２３０へ進む。
【００４８】
そして、２枚目の原稿Ｇ２に関しても、一枚目の原稿Ｇ１と同じように、ＡＣＴ２３４を除く、ＡＣＴ２３０〜ＡＣＴ２３９までの処理を行う。ＡＣＴ２３４については、既に排紙モータ８８が駆動されているため、改めて排紙モータ８８を駆動させる必要はない。なお、４枚目以降の原稿Ｇ４の搬送処理および読取処理については２枚目の原稿と同じ搬送処理および読取処理で行う。
【００４９】
次に３枚目の原稿Ｇ３の搬送について説明する。図７を参照して、ＲＧＴセンサ７１により２枚目の原稿Ｇ２が検出された後（ＡＣＴ２０７ＹＥＳ）、２枚目の原稿Ｇ２の搬送プロセスとは別に、割り込み処理として、３枚目の原稿Ｇ３の給紙プロセスが並行してスタートする。３枚目の原稿Ｇ３は、２枚目の原稿Ｇ２の後端がＲＧＴセンサ７１を抜けるまで、給紙プロセスを待機する（ＡＣＴ３００ＮＯ、ＡＣＴ３０１ＮＯ）。ＲＧＴセンサ７１が、オンからオフに変化すると（ＡＣＴ３００でＹｅｓ）、ＣＰＵ１３０は、原稿Ｇ３が奇数枚目であるため（ＡＣＴ３０２ＹＥＳ）、第１シート搬送路１７aを通過するための調整時間Ｔ１を経過するのを待って（ＡＣＴ３０３Ｙｅｓ）、ＡＣＴ２０６に進む。
【００５０】
そして、３枚目の原稿Ｇ３に関しても、図２２および２３に示すように、１枚目の原稿Ｇ１と同じようにＡＣＴ２０６〜ＡＣＴ２１８までの処理を行い、第２シート搬送路１６a内を搬送する。ＡＣＴ２１９において、第２シート搬送路１６a内に搬送された原稿は、３枚目の原稿Ｇ３なので、本体制御部１２１は、先行する原稿Ｇ２の読取処理を考慮して所定時間経過（ＡＣＴ２２０Ｙｅｓ）してから待機中の原稿Ｇ３の搬送要求信号を有効にする。そして、ＣＰＵ１３０は、中間ＯＵＴモータ８４を駆動して、中間ＯＵＴローラ１８を回動させ、チェンジ機構５０ｃを介して読取前第２のローラ５０ｂを回動し、図２４に示すように原稿Ｇ３を搬送する。読取前センサ７６が先行する原稿Ｇ２の後端を検知（センサーＯＦＦ）し、原稿Ｇ３の先端を検知（センサＯＮ）すると（ＡＣＴ２２４Ｙｅｓ）、ＣＰＵ１３０は、先行する原稿Ｇ２を搬送しているＲＥＡＤモータ８７を継続して駆動し、ＡＣＴ２３０へ進む。
【００５１】
ＡＣＴ２３０へ進んだ３枚目の原稿Ｇ３は、１枚目の原稿Ｇ１と同じように、ＡＣＴ２３０〜ＡＣＴ２３９までの処理を行う。なお、５枚目以降の原稿Ｇ５の搬送処理および読取処理については、３枚目の原稿と同じ搬送処理および読取処理を行う。
【００５２】
次に、第１シート搬送路１７aおよび第２シート搬送路１６a内を搬送する原稿が最終原稿と判定した後の処理について説明する。
【００５３】
図１０を参照して、本体制御部１２１は、排紙センサ７８がＯＮした時に、タイミングセンサＩＮ７３／ＯＵＴ７２ともにＯＦＦの場合（ＡＣＴ２４１ＹＥＳ、ＡＣＴ２４２Ｙｅｓ）、最終原稿と判断する。本体制御部１２１が最終原稿と判断すると、読取後センサ７７がＯＦＦ（ＡＣＴ２４３Ｙｅｓ）して、ＣＰＵ１３０は、読取前ローラモータ８９を停止させて（ＡＣＴ２４４）、ＡＣＴ２７０に進む。また、後続の原稿Ｇが第１シート搬送路１７aまたは第２シート搬送路１６aのいずれかに存在し、タイミングセンサＯＵＴ７２／ＩＮ７３のいずれかがＯＮしている場合には（ＡＣＴ２４１、ＡＣＴ２４２のいずれかがＮｏ）、後続の原稿Ｇの搬送動作が継続される。原稿Ｇが最終原稿でない場合、割り込み処理を経て、第２シート搬送路１６aによる原稿Ｇの搬送）、第１シート搬送路１７aによる原稿Ｇの搬送を交互に繰り返す。
【００５４】
図１２を参照して、原稿Ｇが最終原稿であり、原稿Ｇが搬送されて、その後端が排出前ローラ５２を抜けた後に、排紙センサ７８がオフすると（ＡＣＴ２７１Ｙｅｓ）、ＣＰＵ１３０は、排紙ローラ５３により最終原稿を一定距離搬送し（ＡＣＴ２７２Ｙｅｓ）、ＲＥＡＤモータ８７及び排紙モータ８８とソレノイドをオフし（ＡＣＴ２７３）、ＡＤＦ１０の原稿搬送を完了する。
【００５５】
上記構成により、第１実施形態の画像読取装置１００は、第１の処理モード（ＯＵＴパス部１６（第２シート搬送路１６aを含む）が着脱機構１９によりＩＮパス部１７（第１シート搬送路１７aを含む）に装着されたことを示す情報を装着センサ７９で取得し、かつ所定サイズ以下の情報を長さ検出センサ７０aで取得した場合に実行される処理モード）においては、第２シート搬送路１６aに搬送されている奇数枚目の原稿が、スキャナ１１０および／またはＣＣＤ１１０ｄで読取っている間に、偶数枚目の原稿を第１シート搬送路１７a内に搬送することで、奇数枚目と偶数枚目の原稿間隔をゼロにして、奇数枚目の原稿と偶数枚目の原稿を連続的にスキャナ１１０および／またはＣＣＤ１１０ｄで読取ることができる。これにより、第１実施形態における第１の処理モードは、後述の第１シート搬送路１７aのみで搬送する第２の処理モードに比べて、迅速に原稿トレイ１１に載置された原稿をスキャナ１１０および／またはＣＣＤ１１０ｄで読取ることができる。
【００５６】
次に第１実施形態の画像読取装置１００において、ＯＵＴパス部１６がＩＮパス部１７から脱離している状態について説明する。なお、図４に示すようにＯＵＴパス部１６の代わりに、外装部材１４０がＩＮパス部１７に取付けられているものとする。
【００５７】
図６を参照して、使用者が、画像読取装置１００の電源をオンすると、ＣＰＵ１３０が、プラテンガラス１１０ｂ上で閉じていることを確認し（ＡＣＴ２００）、全センサを検知して、ＡＤＦ１０に紙詰まりが無いことを確認する（ＡＣＴ２０１ＹＥＳ）。原稿Ｇが原稿トレイ１１に載置されるとエンプティセンサ７０がオンし、ＣＰＵ１３０が本体制御部１２１に原稿オン信号を送信する（ＡＣＴ２０２ＹＥＳ）。ＣＰＵ１３０が、本体制御部１２１から給紙要求信号を受信すると、ＣＰＵ１３０が両面読取モードを設定されいているかを判定し（ＡＣＴ２０３）、両面読取モードが設定されていると判定した場合には、ＣＰＵ１３０は、ＣＩＳ６０をオンして、原稿読取可能状態に設定する（ＡＣＴ２０４）。
【００５８】
ＣＰＵ１３０は、ＯＵＴパス部１６がＩＮパス部１７から脱離しているため、装着センサ７９からＯＵＴパス部１６がＩＮパス部１７に装着されていることを示す情報を受信できず（ＡＣＴ２０５ＡＮＯ）、第２の搬送モードを実行するＡＣＴ２０６’へ進む。この第２の搬送モードは、第１シート搬送路１７aのみで搬送する処理モードである。
【００５９】
図１３を参照して、ＣＰＵ１３０は、ピックアップソレノイド８１および給紙モータ８０をオンし、ピックアップローラ１２及び分離給紙ローラ１３を回転させて、１枚目の原稿Ｇ１の給紙動作を開始する（ＡＣＴ２０６’）。ＲＧＴセンサ７１が原稿Ｇ１を検出すると、ＣＰＵ１３０は、原稿Ｇ１を一定時間搬送した後、給紙モータ８０をオフして、ＡＣＴ２５０へ進む（ＡＣＴ２０７’ＹＥＳ、ＡＣＴ２０８’）。ＡＣＴ２５０へ進んだ後の原稿の搬送方法および読取方法に関しては、第２の処理モードと同じであるため、説明を省略する。
【００６０】
次にＯＵＴパス部１６が着脱機構１９を介してＩＮパス部１７に装着されており、原稿が所定のサイズより大きい場合について説明する。
【００６１】
図６を参照して、使用者が、画像読取装置１００の電源をオンすると、ＣＰＵ１３０が、プラテンガラス１１０ｂ上で閉じていることを確認し（ＡＣＴ２００）、全センサを検知して、ＡＤＦ１０に紙詰まりが無いことを確認する（ＡＣＴ２０１ＹＥＳ）。原稿Ｇが原稿トレイ１１に載置されるとエンプティセンサ７０がオンし、ＣＰＵ１３０が本体制御部１２１に原稿オン信号を送信する（ＡＣＴ２０２ＹＥＳ）。本体制御部１２１から給紙要求信号をＣＰＵ１３０が受信すると、ＣＰＵ１３０が両面読取モードを設定されいているかを判定し（ＡＣＴ２０３）、両面読取モードが設定されていると判定した場合には、ＣＰＵ１３０は、ＣＩＳ６０をオンして原稿読取可能状態に設定する（ＡＣＴ２０４）。
【００６２】
ＣＰＵ１３０は、ＯＵＴパス部１６がＩＮパス部１７に装着されているため、装着センサ７９からＯＵＴパス部１６がＩＮパス部１７に装着されていることを示す情報（装着センサ７９オン情報）を受信し（ＡＣＴ２０５ＡＹＥＳ）、第２の搬送モードを実行するＡＣＴ２０６’へ進む。ＡＣＴ２０６’以降の搬送処理および読取処理は、上記ＯＵＴパス部１６がＩＮパス部１７から脱離している状態の処理と同じであるため、説明は省略する。
【００６３】
このように、第１実施形態の画像読取装置１００は、ＣＰＵ１３０が、装着センサ７９からＯＵＴパス部１６がＩＮパス部１７に装着されていることを示す情報を受信できない場合、およびＣＰＵ１３０が、装着センサ７９からＯＵＴパス部１６がＩＮパス部１７に装着されていることを示す情報を受信したが、長さ検出センサ７０aが取得した原稿長さが、所定サイズより大きいとの情報である場合には、原稿載置部１１aに載置された原稿を第１シート搬送路１７aのみで搬送する第１の搬送モードにより、原稿トレイ１１に載置された原稿について、搬送処理および読取処理を行う。
【００６４】
以上のように、第１実施形態の画像読取装置１００は、原稿トレイ１１に載置された原稿を第１シート搬送路１７aと第２シート搬送路１６aに振り分けて搬送できる場合（ＯＵＴパス部１６（第２シート搬送路１６aを含む）が着脱機構１９によりＩＮパス部１７（第１シート搬送路１７aを含む）に装着されたことを示す情報を装着センサ７９で取得し、かつ所定サイズ以下の情報を長さ検出センサ７０aで取得した場合）のみ、第１シート搬送路１７aおよび第２シート搬送路１６aの両方を用いて、原稿の読取処理を行い、その他の場合は、第１シート搬送路１７aのみで原稿の読取処理を行う。すなわち、第１実施形態の画像読取装置１００は、画像読取装置１００の装着状態（装着センサ７９からＯＵＴパス部１６からＩＮパス部１７に装着されたことを示す情報をＣＰＵ１３０が受信するか否か）、または搬送する原稿の状態（長さ検出センサ７０aが取得する情報が所定サイズ以下か否か）を考慮して、最適な搬送方法を画像読取装置１００自体で自動的に選択することで、迅速に原稿読み取りを行うことができる。
【００６５】
また、第１シート搬送路１７aのみの原稿読み取り速度で十分な使用者の場合には、ＯＵＴパス部１６をＩＮパス部１７から取り外して、原稿の読取処理を行うことができ、画像読取装置１００の設置スペースをコンパクトにすることができる。逆に、大量に原稿読み取りを行う使用者の場合には、ＯＵＴパス部１６を着脱機構１９を介してＩＮパス部１７に装着することで、第１シート搬送路１７aの画像読取速度に比べて早い速度で画像読取を行うことができる。このように、第１実施形態の画像読取装置１００は、ＯＵＴパス部１６をＩＮパス部１７に対して着脱自在な構成とすることで、使用者の使用状況に応じて、画像読取装置１００をカスタマイズすることができる。
【００６６】
第１実施形態の画像読取装置１００では、原稿トレイ１１に載置された原稿の搬送方向における長さが所定サイズ以下か否かを長さ検出センサ７０aに基づいて検出するものとして説明したが、特にこれに限られるものではなく、入出力インターフェースに使用者が原稿長さを示す情報を入力し、この入力した値が所定サイズ以下か否かにより判定しても良い。
【００６７】
また、第１実施形態の画像読取装置１００では、原稿の搬送方向における長さが所定サイズ以下か否かを、原稿トレイ１１に原稿を載置した際に長さ検出センサ７０aのＯＮ／ＯＦＦにより判定するものとして説明したが（図６のＡＣＴ２０５Ｂのステップ）、特にこれに限られるものではなく、ＲＧＴセンサ７１のＯＮ時間に基づいて判定しても良い（図７のＡＣＴ３００のステップ）。すなわち、原稿を第１シート搬送路１７a内に搬送し始めて、ＲＧＴセンサ７１がＯＮとなってから所定時間経過してもＲＧＴセンサ７１がオフしない場合には、ＣＰＵ１３０は、原稿が所定サイズよりも長いものと判定しても良い。
【００６８】
これらの構成とすることで、原稿トレイ１１に長さ検出センサ７０aを設ける必要がないため、画像読取装置１００の装置構成を簡略化することができる。
【００６９】
上記第１実施形態において、ＩＮパス部１７側にフラッパ４０を設けた構成として説明したが、必ずしもこれに限られるわけではなく、ＯＵＴパス部１６側にフラッパ４０を設ける構成としても良い。この構成において、ＯＵＴパス部１６を外した場合には、外したＯＵＴパス部１６の代わりに、第１シート搬送路１７aにシートを搬送するガイド部（不図示）を取付ける構成とする。
【００７０】
尚この発明は上記実施例に限られるものではなく、この発明の範囲内で種々変形可能である。例えば搬送経路の形状や大きさ等は限定されない。また、原稿を読み取る画像読取部の構造も、任意であり、実施例において、装置のより小型化のために、原稿の表面を読み取るスキャナ１１０に変えてより小型のＣＩＳ６０を用いても良い。
【符号の説明】
【００７１】
１０  自動原稿搬送装置（ＡＤＦ）
１１a  原稿載置部
１１  原稿トレイ    １２  ピックアップローラ    １３  分離給紙ローラ    １４  レジストローラ（ＲＧＴローラ）    ７０  エンプティセンサ    ７０a  長さ検出センサ（長さ情報取得部）    ７１  レジストセンサ（ＲＧＴセンサ）    ７４  超音波センサ    ８０  給紙モータ    ８１  ピックアップソレノイド    ８２  レジストモータ（ＲＧＴモータ）
１７  ＩＮパス部
１７a  第１シート搬送路    ２８  中間ＩＮローラ    ５０  読取前ローラ    ７３  タイミングセンサＩＮ    ７９  装着センサ（装着情報取得部）    ８６  中間ＩＮモータ
１６  ＯＵＴパス部
１６a  第２シート搬送路    １８  中間ＯＵＴローラ    ７２  タイミングセンサＯＵＴ    ８４  中間ＯＵＴモータ
１９  着脱機構    １９a  凸部被係合部材    １９ｂ  凹部係合部材
４０  フラッパ（振分け部）
８３  フラッパソレノイド
５１a  排紙部
５０ｃ  チェンジ機構    ５１  読取後ローラ    ５２  排紙前ローラ    ５３  排紙ローラ    ５６  排紙トレイ    ６０  コンタクトイメージセンサ（ＣＩＳ）    ７６  読取前センサ    ７７  読取後センサ    ７８  排紙センサ    ８７  ＲＥＡＤモータ    ８８  排紙モータ    ８９  読取前ローラモータ
１００  画像読取装置
１１０  スキャナ（画像読取部）
１１０a  ＲＥＡＤ原稿ガラス    １１０ｂ  プラテンガラス    １１０ｃ  光学機構    １１０ｄ  ＣＣＤ
１２０  制御部    １２１  本体制御部    １３０  ＣＰＵ
１４０  外装部材
【図１】
2013035687.tif 000003
【図２】
2013035687.tif 000004
【図３】
2013035687.tif 000005
【図４】
2013035687.tif 000006
【図５】
2013035687.tif 000007
【図６】
2013035687.tif 000008
【図７】
2013035687.tif 000009
【図８】
2013035687.tif 000010
【図９】
2013035687.tif 000011
【図１０】
2013035687.tif 000012
【図１１】
2013035687.tif 000013
【図１２】
2013035687.tif 000014
【図１３】
2013035687.tif 000015
【図１４】
2013035687.tif 000016
【図１５】
2013035687.tif 000017
【図１６】
2013035687.tif 000018
【図１７】
2013035687.tif 000019
【図１８】
2013035687.tif 000020
【図１９】
2013035687.tif 000021
【図２０】
2013035687.tif 000022
【図２１】
2013035687.tif 000023
【図２２】
2013035687.tif 000024
【図２３】
2013035687.tif 000025
【図２４】
2013035687.tif 000026